(57)【要約】【課題】異なるフォーマットで複数種類の情報が複数の記録層に記録可能な多層ディスクに対して、各層のフォーマットを認識しつつ記録または再生を行なう。【解決手段】このディスクは、内周部にリードイン領域を有し、内周部と外周部の間に複数の情報記録層を有する。前記リードイン領域は前記複数の情報記録層（レイヤー１、レイヤー０）各々のフォーマットを示す情報（レイヤーフォーマットテーブル）を含み、前記各々のフォーマットを示す情報（レイヤー１のフォーマット、レイヤー０のフォーマット）により前記複数の情報記録層（レイヤー０、レイヤー１）各々で用いられるフォーマットの種類（HD_DVD-ROMフォーマット、DVD-ROMフォーマット等）を識別する。【選択図】図１１
2007026617.tif 000002
【特許請求の範囲】
【請求項１】
内周部にリードイン領域を有し、内周部と外周部の間に複数の情報記録層を有するディスク状の多層情報記憶媒体であって、前記リードイン領域は前記複数の情報記録層各々のフォーマットを示す情報を含み、前記各々のフォーマットを示す情報により前記複数の情報記録層各々で用いられるフォーマットの種類を識別できるように構成された情報記憶媒体。
【請求項２】
内周部にリードイン領域を有し、内周部と外周部の間に複数の情報記録層を有するディスク状の多層情報記憶媒体であって、前記リードイン領域は前記複数の情報記録層各々のフォーマットを示す情報を含み、前記各々のフォーマットを示す情報により前記複数の情報記録層各々で用いられるフォーマットの種類を識別できるように構成された情報記憶媒体を用いる方法であって、
前記複数の情報記録層の１つに情報記録を行い、
前記複数の情報記録層の別の１つに情報記録を行なう記録方法。
【請求項３】
内周部にリードイン領域を有し、内周部と外周部の間に複数の情報記録層を有するディスク状の多層情報記憶媒体であって、前記リードイン領域は前記複数の情報記録層各々のフォーマットを示す情報を含み、前記各々のフォーマットを示す情報により前記複数の情報記録層各々で用いられるフォーマットの種類を識別できるように構成された情報記憶媒体を用いる方法であって、
前記複数の情報記録層の１つから情報再生を行い、
前記複数の情報記録層の別の１つから情報再生を行なう再生方法。
【請求項４】
内周部にリードイン領域を有し、内周部と外周部の間に複数の情報記録層を有するディスク状の多層情報記憶媒体であって、前記リードイン領域は前記複数の情報記録層各々のフォーマットを示す情報を含み、前記各々のフォーマットを示す情報により前記複数の情報記録層各々で用いられるフォーマットの種類を識別できるように構成された情報記憶媒体を用いる装置であって、
前記複数の情報記録層の１つから情報再生を行なう手段と、
前記複数の情報記録層の別の１つから情報再生を行なう手段を具備した再生装置。
【請求項５】
内周部にリードイン領域を有し、内周部と外周部の間に複数の情報記録層を有するディスク状の多層情報記憶媒体であって、前記リードイン領域は前記複数の情報記録層各々のフォーマットを示す情報を含み、前記各々のフォーマットを示す情報により前記複数の情報記録層各々で用いられるフォーマットの種類を識別できるように構成された情報記憶媒体としての光ディスクを用いる装置であって、
前記複数の情報記録層各々にレーザ光を用いてアクセスする光学系と、
前記光学系を介して、前記複数の情報記録層各々で用いられるフォーマットの種類に基づく記録または再生を行なうディスクドライブ装置。
【請求項６】
請求項１ないし請求項５のいずれか１項において、前記情報記憶媒体は光学ヘッドを介してレーザ光により情報の記録または再生が行われる光ディスクであり、
前記複数の情報記録層は前記光ディスクの受光面に近い側から順に第１データを記録する第１レイヤーおよび第２データを記録する第２レイヤーを含み、
前記フォーマットの種類は第１のフォーマットおよび第２のフォーマットを含み、
前記各々のフォーマットを示す情報は前記第１のフォーマットを示す第１情報ビットおよび前記第２のフォーマットを示す第２情報ビットを含み、
前記第１レイヤーの前記第１データが前記第１のフォーマットおよび前記第２のフォーマットのいずれであるのかを前記第１情報ビットにより示し、
前記第２レイヤーの前記第２データが前記第１のフォーマットおよび前記第２のフォーマットのいずれであるのかを前記第２情報ビットにより示す。
【請求項７】
請求項６において、前記第１レイヤーにおける前記リードイン領域が、前記複数の情報記録層各々のフォーマットが異なる場合を示す情報を含み、前記第２レイヤーにおける前記リードイン領域が、前記複数の情報記録層各々のフォーマットを示す情報を含む。
【請求項８】
請求項６または請求項７において、前記光学ヘッドを介して得られる再生信号レベルを変数Ｐで表すときに、前記第１レイヤーからの再生信号レベルをＰ１とし、前記第２レイヤーからの再生信号レベルをＰ２とし、前記光ディスクの受光面位置を基準にして、前記光ディスクの受光面から前記光学ヘッドの焦点位置までの相対距離を変数ｘで表し、２つの異なる所定変数ｘ１およびｘ２を定めたときに、
前記再生信号レベルＰ１および／またはＰ２が、前記ｘ１からｘ２の間にあるか否かにより、前記光ディスクにおける前記第１のフォーマットおよび第２のフォーマットの組み合わせ状態を判別する。
【請求項９】
請求項８において、前記再生信号レベルＰ１およびＰ２が前記ｘ１からｘ２の間にある場合に、前記再生信号レベルＰ１が前記再生信号レベルＰ２と異なる信号レベルであるか否かにより、前記第１レイヤーおよび前記第２レイヤーのフォーマットの種別を区別する。
【請求項１０】
複数の情報記録層を有する多層情報記憶媒体に対して情報の記録再生を行い、上位の情報管理装置と情報記憶媒体の情報を送受信をする情報記憶媒体記録再生方法であって、
前記多層情報記憶媒体の情報を複数の情報に分割し、前記複数の情報を仮想的な複数の媒体の情報として前記上位の情報管理装置と前記情報記憶媒体の情報の送受信を行うことを特徴とする情報記憶媒体記録再生方法。
【請求項１１】
複数の情報記録層を有する多層情報記憶媒体に対して情報の記録再生を行い、上位の情報管理装置と情報記憶媒体の情報を送受信をする情報記憶媒体記録再生方法であって、
一部の情報記録層から前記情報記憶媒体が有するすべての情報記録層のフォーマット情報を獲得する第１のステップと、獲得した該フォーマット情報を仮想的な複数の媒体の情報として前記上位の情報管理装置に報告する第２のステップと、該第１および第２のステップが終了した後、前記上位の情報管理装置から現在読み出しを行っている前記一部の情報記録層以外の情報記録層に対する情報記録再生の指示が来た後で、初めて、前記一部の情報記録層の記録再生を開始するステップを実行することを特徴とする情報記憶媒体記録再生方法。
【請求項１２】
複数の情報記録層を有する多層情報記憶媒体に対して情報の記録再生を行い、上位の情報管理装置と情報記憶媒体の情報を送受信をする情報記憶媒体記録再生方法であって、
複数の情報記録層の一方がすでに市場に流通しているフォーマットであり、他方はそれより遅れて流通するフォーマットである場合、前記情報記憶媒体が有するすべての情報記録層のフォーマット情報を獲得するステップで情報を読み出す層は、すでに流通しているフォーマットであることを特徴とする情報記憶媒体記録再生方法。
【請求項１３】
複数の情報記録層を有する多層情報記憶媒体に対して情報の記録再生を行う情報記憶媒体記録再生装置と情報記憶媒体の情報を送受信することで情報を管理する情報管理方法であって、
前記情報記憶媒体記録再生装置が仮想的な複数の媒体の情報を返答する手段を有するか否かを確認し、
前記情報記憶媒体記録再生装置が仮想的な複数の媒体の情報を返答する手段を有することが確認できた場合に、それぞれの仮想的な複数の媒体に対して情報の記録再生を行う場合には、記録再生を行う前に、前記情報記憶媒体記録再生装置に対して、媒体の切り替えを実行するよう指示を出すことを特徴とする情報管理方法。
【発明の詳細な説明】
【技術分野】
【０００１】
この発明は、記録および／または再生が可能な光ディスク等の情報記憶媒体、その記録方法、再生方法および装置に関する。
【背景技術】
【０００２】
ＤＶＤ（Digital Versatile Disc）等に代表される情報記録媒体には、記録層が多層化されたものがある（特許文献１、特許文献２）。特許文献１では、複数の記録層を仮想的に単層の独立した記録媒体とみなして扱うことにより、複数記録層の選択動作以外は単層の情報記録媒体を扱う場合のルールをそのまま適用できるようにしている。一方、特許文献２の情報記録媒体は、複数の記録層と、複数の記録層へのアクセスに関するパラメータおよび複数の記録層に関するフォーマットが格納されたディスク情報領域を備えている。ここで、ディスク情報領域は、複数の記録層のうちの１つ（第１の記録層）に配置されている。
【特許文献１】特開２００４−３５５７１４
【特許文献２】特開２００４−２０６８４９
【発明の開示】
【発明が解決しようとする課題】
【０００３】
特許文献１では、単層の情報記録媒体を扱う場合のルールをそのまま適用するため、情報記録媒体を多層化しても、媒体１枚あたりの記憶容量が単に増大するに止まる。一方、特許文献２では、１枚の情報記録媒体のディスク情報領域が複数の記録層に関するフォーマットを格納できることから、各記録層に異なるフォーマットの情報が別々に格納される可能性がある。しかし、１枚のディスクが異なるフォーマットで記録された複数の記録層を持つ場合、このディスクを再生する（あるいはこのディスクに記録する）ドライブ装置は各記録層のフォーマットを個々のディスク毎に認識しなければならなくなる。
【０００４】
この発明の課題の１つは、ＨＤ＿ＤＶＤ（青色レーザを用いるHigh Definition DVD）、標準ＤＶＤ（赤色レーザを用いるStandard Definition DVD）等の異なるフォーマットで複数種類の情報が複数の記録層に記録可能な多層情報記憶媒体に対して、各層のフォーマットを認識して記録または再生を行えるようにすることである。
【課題を解決するための手段】
【０００５】
この発明の一実施の形態に係るディスク状の多層情報記憶媒体は、内周部にリードイン領域を有し、内周部と外周部の間に複数の情報記録層（レイヤー０、レイヤー１等）を有する。ここで、前記リードイン領域（例えば図５のリードインエリアＨ）は前記複数の情報記録層（レイヤー１、レイヤー０）各々のフォーマットを示す情報（図１０、図１１のレイヤーフォーマットテーブル）を含み、前記各々のフォーマットを示す情報（レイヤー１のフォーマット情報、レイヤー０のフォーマット情報）により前記複数の情報記録層（レイヤー０、レイヤー１）各々で用いられるフォーマットの種類（HD_DVD-ROMフォーマット、DVD-ROMフォーマット等）を識別できるように構成される。
【発明の効果】
【０００６】
１枚の多層情報記憶媒体に異なるフォーマットで複数種類の情報が記録されていても、それらを区別して再生できる。あるいは、１枚の多層情報記憶媒体の複数記録層に異なるフォーマットで複数種類の情報を記録できる。
【発明を実施するための最良の形態】
【０００７】
以下、図面を参照して、この発明の一実施の形態に係る情報記憶媒体、記録方法、再生方法および装置を説明する。
【０００８】
＜光ディスク記録再生システム＞
図１は、この発明の一実施の形態に係るディスク状の多層情報記憶媒体（マルチフォーマットディスクまたはツインフォーマットディスク）に対して情報の記録および／または再生を行なう情報記録再生システム（プレーヤ／レコーダ）１００の概略構成を説明するブロック図である。
【０００９】
ここで、「ツインフォーマットディスク（Twin Format Disc：以下適宜ＴＦディスクと略記）」とは、該当ディスクが２つの記録再生層を持ち、各記録再生層に異なるフォーマット（ＤＶＤフォーラムで規定された別のフォーマット）が適用されるディスクをいう。
【００１０】
図１に示される情報記録再生システム１００は、音声／映像情報（ＡＶ情報）やユーザデータ等を格納する光ディスク１０と、光ディスク１０に情報を記録し、および／または光ディスク１０から情報を再生する光ディスク装置（またはディスクドライブ装置）２００と、光ディスク装置２００に指令を発行し、光ディスク装置２００を介して光ディスク１０から必要な情報を読み出し、 ＡＶ情報の再生やユーザへの情報表示等を行うホスト部３００を含んで構成されている。
【００１１】
光ディスクレコーダや光ディスクプレーヤといった装置１００は、図１に示すように、その装置内に、光ディスク装置２００とホスト部３００を内臓している。ホスト部３００は、ＣＰＵ（Central Processing Unit）またはＭＰＵ（Micro Processing Unit）、作業領域として用いられるＲＡＭ（Random Access Memory）、設定パラメータや電源が落とされても保持しておくべき種々なデータ等を記憶保持するＲＯＭ（Read Only Memory）または不揮発性メモリを備えている。この不揮発性メモリとしては、ＥＥＰＲＯＭ（Electrically Erasable and Programmable ROM）やフラッシュメモリー等を用いることができる。これらのＲＯＭまたは不揮発性メモリには、ユーザの要求に対して実行される種々なプログラム（ファームウエア）、処理に必要なデータ、ファイル管理に必要なファイルシステム等を記録しておくことができる。たとえば、これらのＲＯＭまたは不揮発性メモリには、ＤＶＤビデオフォーマットのＵＤＦブリッジファイルシステム、ＤＶＤビデオレコーディングフォーマットのＵＤＦファイルシステム、また、次世代ビデオフォーマット（HD_DVD-Video）のＵＤＦファイルシステム、次世代ビデオレコーディングフォーマット（HD_DVD-Recordable）のＵＤＦファイルシステム、アプリケーションソフト等が格納される。
【００１２】
図２は、この発明の一実施の形態に係るディスク状の多層情報記憶媒体（マルチフォーマットディスクまたはツインフォーマットディスク）に対して情報の記録および／または再生を行なうパーソナルコンピュータの概略構成を説明する図である。図１ではホスト３００がその装置１００専用に用意されているが、図２ではパーソナルコンピュータのＣＰＵ／ＭＰＵをソフトウエア（オペレーティングシステムに付属する仮想ソフトウエアプレーヤ／レコーダ）によりホスト３００ＰＣとして用いている。図２に示すようなパーソナルコンピュータ等のシステムでは、パーソナルコンピュータ（ＰＣ）がホストとなる。ホスト３００ＰＣに接続された光ディスク装置２００（例えばノートＰＣに内蔵される汎用のＤＶＤマルチドライブ）に対する指示の発行は、ＯＳ（オペレーションソフト）やライティングソフト、ビデオ再生ソフトといったアプリケーションソフトを実行することにより行われる。
【００１３】
＜光ディスク装置＞
図３は、図１または図２の光ディスク装置（ディスクドライブ装置）２００の概略構成を説明するブロック図である。光ディスク装置２００は、光学ヘッド（optical Pick-Up Head）ＰＵＨ２０８から出射されるレーザ光を、スピンドルモータ２２０で回転駆動される光ディスク１０内の情報記録層に集光する（フォーカスサーボにより対象記録層に焦点を合わせる）ことで、情報の記録再生を行っている。ディスク１０（そのレイヤー０および／またはレイヤー１）から反射した光は、再びＰＵＨ２０８の光学系を通過し、フォトディテクタＰＤ２１０で電気信号として検出される。
【００１４】
検出された電気信号は、プリアンプ２１２で増幅され、サーボ回路２１８および信号処理回路２１４、２１６に出力される。サーボ回路２１８では、フォーカス、トラッキング、チルト、回転速度等のサーボ信号が生成され、各サーボ信号が、それぞれ、ＰＵＨ２０８内の図示しないフォーカス、トラッキング、およびチルトアクチュエータに出力される。また、回転速度のサーボ信号はスピンドルモータ２２０の駆動回路系に送られ、ディスクの記録層上におけるレーザビームスポットの線速度が所定値に制御される。
【００１５】
信号処理回路２１４、２１６では、記録されたデータの読み取りや、アドレス信号等の復調が行われる。その際の復調方法としては、スライス方式やＰＲＭＬ（Partial Response Maximum Likelihood）方式がある。スライス方式には、再生信号に線形な波形等化を行った後に信号を２値化する方法や、再生信号の低域の高振幅成分を一定の値に制限するリミットイコライザと呼ばれる非線形等化器によって等化した後に信号を２値化する方法などがある。また、ＰＲＭＬ方式に関しても、再生信号の周波数特性に対応して、最適なＰＲクラスたとえば、PR（1,2,2,2,1）や、PR（1,2,1）、PR（1,2,2,1）、PR（3,4,4,3）等が選択される。
【００１６】
光ディスク装置２００は、記録再生の対象となる光ディスク１０と、ＰＵＨ２０８によって形成される集光ビームスポットのサイズによって、最適な復調方式（スライス方式またはＰＲＭＬ方式）を選択する。
【００１７】
アドレス信号処理回路２１６では、検出された信号を処理することにより、光ディスク上の記録位置を示す「物理アドレス情報」を読み出し、コントローラ２５０に出力する。コントローラ２５０は、このアドレス情報を元に、所望のアドレス位置のデータ（ユーザデータ等）を読み出したり、所望のアドレス位置にデータを記録したりする。その際、記録データは、記録信号処理回路２０４内、もしくはレーザダイオードドライバＬＤＤ（レーザダイオード駆動回路）２０６内の図示しない記録波形回路で光ディスク記録に適した記録波形制御信号に変調される。この変調された信号を元に、レーザダイオードドライバＬＤＤ２０６はレーザダイオードを発光させ、光ディスク１０（図４他に例示されるレイヤー０および／またはレイヤー１の情報記録層）に情報を記録する。
【００１８】
この実施形態では、光学ヘッドＰＵＨ２０８内には、波長405±15 nm、650±20 nm、780±30 nmのいずれかの単波長光源１つ、もしくは複数の単波長光源が搭載されている（後述する図１３参照）。また、光学ヘッドＰＵＨ２０８で上記波長のコヒーレントなレーザ光を光ディスク１０内の記録層上に集光させるために用いられる対物レンズは、この実施の形態では、開口数ＮＡ値が０．６５である。が、その他の実施の形態として、Ｈフォーマット（後述：図６参照）の情報記憶媒体に対して記録／再生する場合はＮＡ値が０．６５の対物レンズを使用し、Ｂフォーマット（後述：図６参照）の情報記憶媒体に記録／再生する場合にはＮＡ＝０．８５の対物レンズを使用するように、対物レンズが切り替えられるような構造にすることも可能である（後述する図１４参照）。
【００１９】
なお、対物レンズに入射する直前の入射光の強度分布として、中心強度を“１”とした時の対物レンズ周辺（開口部境界位置）での相対的な強度を“ＲＩＭIntensity”と呼ぶ。Ｈフォーマットにおける前記ＲＩＭ Intensityの値は５５〜７０％になるように設定してある。この時の光学ヘッド内での波面収差量は使用波長λに対して最大０．３３λ（０．３３λ以下）になるように光学設計されている。
【００２０】
＜光ディスク＞
図４は、この発明の一実施の形態に係るディスク状の多層情報記憶媒体（マルチフォーマットディスク）の概略構成を説明する図である。この例では、マルチフォーマットディスクの中で特に2つ情報記録層（以下レイヤー）を有するツインフォーマット光ディスク（以下ＴＦディスク）を示している。ＴＦディスクは、図４に示すように2つ情報記録層（レイヤー０とレイヤー１）を有し、それぞれが異なるフォーマット、ファイルシステム、もしくはアプリケーションで構成されているか、非連続な論理空間で構成されているという特徴を有する。
【００２１】
＜情報エリアのレイアウト＞
図５は、ツインフォーマットディスク（ＴＦディスク）の各レイヤーのレイアウト例を説明する図である。この例では、各レイヤーのフォーマットとして、レイヤー０（L0）にＤフォーマット（標準ＤＶＤ）があり、レイヤー１（L1）にＨフォーマット（高密度ＨＤ＿ＤＶＤ）がある場合を示している。その他の例としては、たとえばレイヤー０にＢフォーマット（ＢＦ）があり、レイヤー１にＤフォーマット（ＤＶＤ）がある場合や、レイヤー０にＤフォーマット（ＤＶＤ）があり、レイヤー１とレイヤー２にＨフォーマット（ＨＤ＿ＤＶＤ）がある場合などの組み合わせが可能である。
【００２２】
ここで、レイヤー１に配置されたＨＤ＿ＤＶＤのインフォメーションエリアは、ディスク１０の内周側から、ＢＣＡ（Burst cutting area）−Ｈ領域、System Lead-in area-H領域、Data Lead-in area-H領域、Data area-H領域、Data Lead-out area-H領域に区分されている。ＢＣＡ−Ｈ領域には、ディスク１０の基板の溝や、反射膜の剥離、記録媒体の変化等によってＢＣＡマークがあらかじめ記録されている。ＢＣＡマークは光ディスク１０の円周方向に変調されており、半径方向には同一の情報が並ぶ櫛型のマークである。ＢＣＡコードは、ＲＺ変調方法により変調されて記録される。パルス幅が狭い（＝反射率の低い）パルスは、この変調されたＢＣＡコードのチャネルクロック幅の半分よりも狭い必要がある。また、ＢＣＡマークは半径方向に同一の形状を持っているため、トラッキングをかける必要がなく、フォーカスをかけただけで情報の再生が可能となる。
【００２３】
System Lead-in area-H領域には、エンボスピットで情報が記録されている。この情報は、ディスクの識別情報やData area-H領域の容量といった、光ディスク１０の管理情報である。また、この領域のエンボスピットの最短マーク長はData area-H領域の倍の値になっている。この結果、通常Ｈフォーマット（ＤＶＤ）のData area-HはＰＲＭＬ方式を用いて再生されるが、System Lead-in area-H領域においては、スライス方式を用いても情報の復調が可能となる。その結果、管理情報の読み出しに関しては、他フォーマットとの互換が取れるため、ディスク１０の識別等が高速化されるという特徴がある。
【００２４】
Data area-H領域には、映像データやユーザデータといったデータが保存される。また、Data Lead-in area-H領域、Data Lead-out area-H領域は、Data area-H領域と同じ密度で信号が記録され、トラッキングサーボ等のオーバーラン領域として使用されるほか、追記型、書換え型の光ディスクでは、それぞれ、追記、書換えが可能な管理情報記録領域として使用される。
【００２５】
レイヤー０に配置されたＤフォーマット（ＤＶＤ）のインフォメーションエリアは、ディスク１０の内周側から、Lead-in area-D領域、Data area-D領域、Lead-out area-D領域に区分されている。レイヤー０にＢＣＡ領域が配置されていないのは、ＢＣＡ領域はレイヤー間の光学的干渉が強いため、レイヤー０のＢＣＡマークがレイヤー１のＢＣＡマークの再生に悪影響することを避けるためである。ＢＣＡマークにはディスクの識別情報が記録されているため、光ディスク装置２００はまずＢＣＡの情報を再生する必要がある。このように、レイヤー０にＢＣＡマークを配置しないことで、ＴＦディスクの認識が高速、高信頼性になるという特徴がある。
【００２６】
Lead-in area-D領域にはディスク１０の識別情報やData area-D領域の容量といったディスクの管理情報が記録されている。また、Data area-D領域には、映像データやユーザデータといったデータが保存される。Lead-out area-D領域は、Data area-D領域と同じ密度で信号が記録され、トラッキングサーボ等のオーバーラン領域として使用されるほか、追記型、書換え型の光ディスクでは、それぞれ、追記、書換えが可能な管理情報記録領域として使用される。
【００２７】
次に、この実施の形態に係るツインフォーマットディスク（ＴＦディスク）１０の反射率について説明を行う。このＴＦディスク１０は、405nmの波長で観測した場合、レイヤー０とレイヤー１の反射率は１４％から３２％の範囲に収まっており、一方、650nmの波長で観測した場合には、レイヤー０の反射率は、４０％以上、レイヤー１の反射率は１４％より低くなっている。この結果、650nmで再生を行った場合には、レイヤー１の層を無視することが可能となり、既存のＤＶＤ装置は標準（非ＨＤ）ＤＶＤであるレイヤー０のみに自動的にフォーカス引き込むことになる。
【００２８】
＜光ディスクのフォーマット＞
図６は、ツインフォーマットディスク（またはマルチフォーマットディスク）の各レイヤーに配置されるフォーマット例を説明する図である。例示されたそれぞれのフォーマット（Ｈ，Ｄ，Ｂ，Ｃフォーマット）には、再生のみが可能な再生専用型（ＲＯＭタイプ）、情報の記録が一回だけ可能な追記型（±Ｒタイプ）、情報の書き換えが可能な書き換え型（±ＲＷタイプあるいはＲＡＭタイプ）の３つのタイプが存在する。ここで、回転制御方式のＣＬＶとはConstant liner velocityの略で、線方向の速度を一定に保った回転制御方法を意味している。また、ＥＴＭ（Eight to Twelve Modulation）とは変調方式の一つで、情報ビット８ビットごとに、冗長性を持たせた１２ビットのチャネルビットに変換して、信号を記録する方式である。この冗長性を持たせた事により、直接情報ビットを光ディスクに記録する場合に比べ情報の記録再生の信頼度が飛躍的に向上している。同じくＥＦＭ（Eight to Fourteen Modulation）は８ビットの情報ビットを１４ビットに変換する方式であり、EFMplusは８ビットの情報ビットを１６ビットに変換する方式である。また、1-7pp（1-7parity preserve）は、各データビットの長さを、基本となるチャネル長（Ｔ）の2倍の２Ｔから８倍の８Ｔまでの間に入るように制限しながらデータの変換を行う変換方式である。ここで、Ｄフォーマットは、すでに一般普及している標準ＤＶＤフォーマットを示し、CフォーマットはＣＤフォーマットと同じ物理仕様を示している。一方、Ｈフォーマット及びＢフォーマットはより高密度な情報の記録再生を可能にする次世代高密度光ディスクのフォーマット例である。この実施の形態では、前者（Ｈフォーマット）をＨＤ＿ＤＶＤ、後者（Ｂフォーマット）をＢＦと呼ぶ。
【００２９】
＜情報ビットの内容＞
図７は、ツインフォーマットディスク（またはマルチフォーマットディスク）のレイヤー１に設けられたバーストカッティングエリア（ＢＣＡ）に記録される情報の構成を例示する図である。図７に例示されるＢＣＡデータは、２個のＢＣＡプリアンブルと２個のポストアンブル及び２個のＢＣＡデータ領域（図示Infomationの領域）を持つ。各ＢＣＡデータ領域には各ＢＣＡエラー検出コードＥＤＣＢＣＡとＢＣＡエラー訂正コードＥＣＣＢＣＡが付加され、その間にはＢＣＡ連結領域（図示BCA-Concatenationの領域）が配置されている。
【００３０】
更に、各４バイト毎には１バイトずつのシンクバイトＳＢＢＣＡまたはリシンクＲＳＢＣＡが挿入されている。前記ＢＣＡプリアンブルは４バイトで構成され、全て“００ｈ”が記録される。また各ＢＣＡプリアンブルの直前にはシンクバイトＳＢＢＣＡが配置される。ＢＣＡデータ領域ＢＣＡＡ内には、７６バイトが設定されている。ＢＣＡポストアンブルは４バイトで構成され、全て“５５ｈ”の繰り返しパターンが記録されている。ＢＣＡ連結領域は、４バイトで構成され、全て“ＡＡｈ”が繰り返し記録される。
【００３１】
図８は、バーストカッティングエリア（ＢＣＡ）に記録される情報内容の一例を説明する図である。図７のＢＣＡデータ領域（図示Infomationの領域）には、ＢＣＡレコードを１つの単位として、１つもしくは複数の情報が記録される。このレコードは、たとえば、ディスクの識別情報やコピー制御の為の情報を含むことができる。図８に例示されるのは、ディスクの識別情報を表すＢＣＡレコードの例である。始めの2バイトには、そのＢＣＡレコードがどの種類（識別情報、コピー制御情報等）のレコードかを表すＢＣＡレコード識別子が記録される。続いて、ＢＣＡレコードの形式を示すＢＣＡレコードのバージョン番号が記録される。次に、ＢＣＡレコードのサイズを決めるデータ長が記録される。この長さには、ＢＣＡレコードのヘッダであるＢＣＡレコード識別子からデータ長までの４バイトは含まれないように構成できる。次に、１バイトのブックタイプとディスクタイプが記録される。ブックタイプは、ディスクのフォーマット及び再生専用、追記型、書き換え型等を示す識別子である。
【００３２】
図９は、バーストカッティングエリア（ＢＣＡ）に記録される情報の一部（ブックタイプ・ディスクタイプ）の具体例を説明する図である。図９に示すように、ブックタイプ・ディスクタイプの情報バイトのうちディスクタイプの４ビットには、1ビットごとに情報が割り振られている。その最上位ビットには、記録マーク（ピット）の反射率が非マーク（ピット）部よりも高いか低いかをあらわす極性識別子が記録され、次のビットにはそのディスクがツインフォーマットディスク（ＴＦディスク）であるか否かを示す識別子が記録されている。
【００３３】
ここで、このＴＦディスク識別子がバイナリで０の場合、そのディスクはツインフォーマットディスクでないことを示し、１の場合、ツインフォーマットディスクであることを示す。その拡張例として、次のリザーブビットを併用して２〜３ビットの多ビット識別子を設けることにより、３レイヤー以上のマルチフォーマット光ディスクを識別することも可能である。
【００３４】
このようなＴＦディスク識別子をＢＣＡレコードとして持つことにより、個々の多層ディスクにおいて、そのディスクが単一フォーマットだけのディスクなのかマルチフォーマットのディスクなのかを容易に判別できる。
【００３５】
図１０は、ツインフォーマットディスク（またはマルチフォーマットディスク）のレイヤー１のシステムリードインエリアＨに設けられたエンボスピット情報の具体例を説明する図である。図１０において、先頭のバイト位置にはブックタイプ・パートバージョンの情報が格納されている。
【００３６】
ブックタイプはディスク１０のフォーマット及び再生専用（ＲＯＭタイプ）、追記型（±Ｒタイプ）、書き換え型（±ＲＷタイプ、ＲＡＭタイプ）等を示す識別子である。パートバージョンは、そのフォーマットのバージョン管理情報である。ディスクサイズにはそのディスク１０の直径を示す情報が記録される。たとえば、１２ｃｍのディスクであれば0000b、８ｃｍのディスクであれば0001bが記録される。最大転送レートには、必要に応じて、ディスクに記録されたデータを正常に再生するのに必要となる最大の転送レートが記録される。
【００３７】
ディスク構造には、そのフォーマットのレイヤーの数、各レイヤーでトラックが内周側から外周側に向かっているか、内周側に向かっているかの極性を示す情報、そのレイヤーが再生専用であるか、追記型か、書き換え型であるかといった情報が記録される。ここでのレイヤーの数は、ディスク１０が物理的に持つレイヤー数ではなく、フォーマットのレイヤー数である。
【００３８】
記録密度には、ディスク接線方向の密度とトラックピッチを現す情報が記録される。データエリア構造にはData area-Hの開始アドレスと終了アドレスが記録される。ＢＣＡ識別子には、ＢＣＡがあるか無いかを示す情報を記録する。また、拡張パートバージョンにはパートバージョンの拡張情報を記録する。最大再生スピードには、ディスクに記録されたデータを正常に再生するのに必要となる最大の線速度が記録される。そして、レイヤーフォーマットテーブルには、以下に述べる情報が記録される。
【００３９】
図１１は、図１０のエンボスピット情報の一部に含まれるレイヤーフォーマットテーブルの具体例を説明する図である。このレイヤーフォーマットテーブルは、最上位の２ビットの予備をおいて次の３ビットがレイヤー１のフォーマット識別子、さらに次の３ビットがレイヤー０のフォーマット識別子となっている。この例では、レイヤー１の000bにはHD_DVD-ROMフォーマットが割り当てられており、レイヤー０の000bにはHD_DVD-ROMフォーマットが割り当てられている。また、レイヤー１の100bにはDVD-ROMフォーマットが割り当てられている。ここで、レイヤー０および／またはレイヤー１の000bには固定したフォーマットを割り当てるのではなく、そのフォーマットのブックタイプで示されたフォーマットを割り当てるとしても良い。また、たとえばレイヤー０にＢフォーマットディスク（図６参照）を割り当てる場合には、レイヤー０のフォーマット識別子を010b等にすればよい。
【００４０】
図１２は、ツインフォーマットディスク（またはマルチフォーマットディスク）のレイヤー０のリードインエリアＤに設けられたエンボスピット情報の具体例を説明する図である。図１２の各バイトの内容は図１０のレイヤー１と基本的に同じである。ただし、レイヤーフォーマットテーブルに関しては、テーブルの代わりにバイト位置１２８にツインフォーマットディスク識別子が記録されている。この例では、ツインフォーマットディスク識別子が00000000bの場合はブックタイプで定義されたフォーマットが示され、ツインフォーマットディスク識別子が10000000bの場合は、レイヤー０がDVD-ROM、レイヤー１がHD_DVD-ROMと定義されている。ここで、他の例として、レイヤー１にＣフォーマット（図６参照）を割り当てる場合には、ツインフォーマットディスク識別子を01000000bとすればよい。
【００４１】
＜光ディスク装置の再生光の切り替え＞
図１３は、ツインフォーマットディスク（またはマルチフォーマットディスク）の各レイヤーの情報を、レーザ光を用いて記録または再生する光学系の概略構成を説明する図である。ここでは、１つの対物レンズＯＬを介して、２つのレーザビームをレーザダイオードＬＤ１およびＬＤ２から各レイヤーに照射する１つの光ヘッド（ＰＵＨ）を用いている。また、図１４はツインフォーマットディスク（またはマルチフォーマットディスク）の各レイヤーの情報を、レーザ光を用いて記録または再生する光学系の概略構成（シングルビームのマルチ光ヘッドまたはマルチレンズ・マルチビームのシングル光ヘッド）の他例を説明する図である。ここでは、２つの対物レンズＯＬ０およびＯＬ１を介して２つのレーザビームを別々に各レイヤーに照射する１つ（または２つ）の光ヘッド（ＰＵＨ）を用いている。
【００４２】
ツインフォーマットディスク（ＴＦディスク）では、各レイヤーが異なるフォーマットで形成されている。そのため、両方の層（レイヤー０、レイヤー１）に記録・再生が可能な光ディスク装置２００は、それぞれのフォーマットに合わせて、レーザ（ＬＤ１、ＬＤ２）の波長λ（405nm、650nm、780nm など）、対物レンズの開口数ＮＡ（0.45、0.60、0.65、0.85など）、および／または復調方式（ＰＲＭＬ方式、スライス方式など）等を適宜切り替える機能を有している。
【００４３】
図１５は、ツインフォーマットディスク（またはマルチフォーマットディスク）の各フォーマットに対応したディスク装置の仕様（レーザ波長、対物レンズ開口数、復調方式等の組み合わせ）の具体例を説明する図である。レーザ等の切り替えは、管理情報等の読み出しの際には、必要に応じて光ディスク装置が自動的に切り替えるほか、ホストからの指令によって切り替えることが可能である。図１５は、そのような自動切り替えを行なう対象のディスク１０で用いられるフォーマットと各フォーマットに対応した光ディスク装置２００のパラメータ例を示す。
【００４４】
＜光ディスクから得られた情報の構成＞
図１６は、各レイヤー（L0*、L1*）が同じフォーマットで記録され、物理的には記録情報（Data0*、Data1*）が複数レイヤーに分かれていても論理的には記録情報（Data0*+Data1*）が１つとして扱われる例（ツインフォーマットでない２層ディスク）を説明する図である。図１６は、２層DVD-ROMディスクを再生する場合の、光ディスク装置２００とホスト３００の情報の受け渡しに関する模式図を示す。ツインフォーマットでない２層DVD-ROMディスク１を再生する場合、ディスク１にはレイヤー（L0*、L1*）毎に物理セクタ番号がつけられているが、光ディスク装置２００はそれを１列の論理セクタの並びに変換し、ホスト３００との情報の交信は論理セクタ番号を基本に行うようになっている。この方式では、ホスト３００が「そのディスクが２層か１層か」を区別する必要がなく、処理が簡単になるという利点がある。
【００４５】
一方で、ホスト３００は、読み出したい情報がレイヤー０（L0*）にあるかレイヤー１（L1*）にあるかを意識せずにアクセスするため、レイヤーを何度もまたいで高速にデータの読み出しを行う指令を光ディスク装置２００に送る場合がある。この場合、光ディスク装置２００は頻繁にレイヤー（L0*、L1*）を切り替える必要が生じ、場合によってはホスト３００の要求した時間内にデータを送信できない場合が生じる事がある。このように２層DVD-ROMディスクを再生するシステムでは、ホスト３００は、論理セクタとレイヤーの関係を簡単には認識できないので、このような事態（要求された時間内にデータを送信できないといった事態）を避けることが難しい。
【００４６】
さらに、マルチフォーマットディスク（図５や図１７のディスク１０参照）に上記（図１６）の方式を適応した場合、光ディスク装置２００は記録または再生するレイヤー（L0、L1）を切り替えるために、レーザの波長やレンズを切り替える必要がある。そのため、上記のデータ送信遅延が発生する確率は非常に高くなり、安定して光ディスクを再生することが難しくなる。また、各レイヤー（L0、L1）でアプリケーション等が異なる場合は、ホスト３００が明示的にどちらかのレイヤーにアクセスする指示を出したい場合があるが、これまでの２層DVD-ROMディスクのような方式では直接これを実現することは難しい。
【００４７】
図１７は、各レイヤー（L0、L1）の記録情報（Data0、Data1）が個別のフォーマット（同じフォーマットでも異なるフォーマットでもよい）で記録され、物理的にも論理的にも記録情報（Data0、Data1）が複数レイヤーに分かれて扱われる例、すなわち物理的には２層ディスク１枚でも論理的には個別の単層ディスク２枚（仮想ディスク１ａ、１ｂ）に相当する例（ツインフォーマット２層ディスク１０）を説明する図である。図１７は、一例として、ツインフォーマットディスクを再生する場合の光ディスク装置２００とホスト３００の情報の受け渡しに関する模式図を示している。
【００４８】
光ディスク装置２００は、マルチフォーマットディスクを再生する際には、各レイヤー（L0、L1）の物理セクタ番号から、それぞれ各レイヤーもしくはフォーマット毎に論理セクタ番号に変換し、ホスト３００には仮想的に光ディスク装置２００の中に複数枚のディスク（物理的にはマルチフォーマットディスクが１枚）が挿入されたことを報告する。この例では、この仮想的なディスクのことをフィジカルボリューム（Physical Volume：略してＰＶ）と呼ぶ。また、フィジカルボリュームにはそれぞれフィジカルボリューム番号（ＰＶ０、ＰＶ１等）がつけられる。たとえば、レイヤー０（L0）はフィジカルボリューム０（ＰＶ０）に変換され、レイヤー１（L1）はフィジカルボリューム０（ＰＶ１）に変換されるというようになる。
【００４９】
このように、光ディスク装置２００を構成するドライブが「仮想的に2つのフィジカルボリュームが存在する」と報告することにより、ホスト３００は、明示的に、どちらのフィジカルボリュームから情報を読み出すか、読み出すフィジカルボリュームを切り替えるかどうかを指示することが可能になる。また、フィジカルボリュームの切り替えにはある程度の時間がかかることが予め見積もれるため、その時間を考慮した上でアプリケーションを動かすといった処理を行うことが可能になるという利点がある。また、ホスト３００がいくつかのフィジカルボリュームのフォーマット（例えば図６のＨフォーマットとＤフォーマット）にしか対応していない場合、非対応のフィジカルボリューム（例えば図６のＢフォーマット）はそのホスト３００からは認識されず、対応可能なフィジカルボリューム（例えばＨフォーマットとＤフォーマット）だけに、読み出しの指示を出すことが可能となる。
【００５０】
＜光ディスク装置の再生状態の移り変わりを示す状態遷移図＞
図１８は、光ディスク装置（ディスクドライブ装置）における再生状態の移り変わり（例１）を説明する状態遷移図である。光ディスク装置２００の電源が入れられた場合、光ディスク装置２００は記録／再生の制御プログラムの設定を一旦リセットする。ここで、光ディスク装置２００に光ディスク１０が挿入されていない場合、光ディスク装置２００内のディスク１０の状態は“空”の状態となる。ここで、光ディスク装置２００に光ディスク１０が挿入された場合、光ディスク装置２００は、自動的に、もしくはホスト３００からの装填（Load）の指示によって、光ディスク１０の装填を開始する。
【００５１】
このとき、装填された光ディスク１０がマルチフォーマット光ディスクであった場合、光ディスク装置２００は、あらかじめ定められたフィジカルボリューム０を装填し、フィジカルボリューム０の記録再生が可能な状態“ＰＶ０”となる。一方、光ディスク装置２００の電源が入れられた際に、すでに光ディスク１０が挿入されていた場合は、リセット後すぐにフィジカルボリューム０の装填を実施する。ここで、光ディスク装置２００の図示しないイジェクトボタン、もしくはホスト３００からイジェクトの指示が出された場合、光ディスク装置２００は光ディスク１０を装置の外に吐き出し、光ディスク装置２００内のディスク状態は“空”に戻る。
【００５２】
一方、ホスト３００が他のフィジカルボリュームに対して記録再生を行いたいとする場合、フィジカルボリューム０が装填された状態“ＰＶ０”で、光ディスク装置２００に対し、フィジカルボリュームの切り替え指示を出力する。光ディスク装置２００は、この指示にしたがって、装填するフィジカルボリュームを切り替え、たとえばフィジカルボリューム１が装填された状態“ＰＶ１”に状態を遷移させる。このように、光ディスク装置２００はフィジカルボリューム０をデフォルトフィジカルボリュームとして優先的に装填する機能を有している。
【００５３】
また、フィジカルボリュームが３つ以上ある場合には、フィジカルボリューム０のみが優先的に装填され、フィジカルボリューム１とフィジカルボリューム２に関しては、順に切り替えても良いし、０から１、０から２、１から２の切り替えをすべて許容することも可能である。フィジカルボリューム０を特に優先することで、たとえばマルチフォーマット光ディスクのブートディスクを作成する際にも、ブートに使用されるフォーマットをフィジカルボリューム０に配置しておけば、ホスト３００はブートに使用されるフォーマットを検索する必要が無く、ディスク１０の挿入と同時に認識することが可能となる。
【００５４】
図１９は、ツインフォーマットディスク（ＴＦディスク）が装填された光ディスク装置（ディスクドライブ装置）における再生状態の移り変わり（例２）を説明する状態遷移図である。光ディスク装置２００は、レイヤー０（Layer0）がDVD-ROMで、レイヤー１（Layer1）がHD_DVD-ROMであるＴＦディスクを再生する場合には、始めに（デフォルトで）DVD-ROMまたはＤＶＤビデオをフィジカルボリューム０として認識する機能を備えている。これによって、すでに市場に流通しているDVD-ROM（ＤＶＤビデオ）だけを再生する機能のみを備えたホスト３００にこの発明の実施に係る光ディスク装置２００を接続した場合にも、最低限DVD-ROM（ＤＶＤビデオ）だけは正常に再生することが可能となる。
【００５５】
＜光ディスク装置/ホストの持っている機能＞
図２０は、ツインフォーマットディスク（またはマルチフォーマットディスク）を扱う光ディスク装置（ディスクドライブ装置）が持つコマンドの一例（対応可能な指示のリスト）を説明する図である。光ディスク装置２００は、図２０のリストに示される指示（光ディスクのフォーマット指示、光ディスクの管理情報の読み出し指示、光ディスクの管理情報の書き込み指示もしくは光ディスクの記録再生状態の変更指示等）をホスト３００から受け取った場合、あらかじめ定められたフォーマットにしたがって、ホスト３００に返答を返す機能を有している。一般に、この処理は光ディスク装置２００のファームウエアとして実装されている。一方、ホスト３００も、あらかじめ定められたフォーマットにしたがって、光ディスク装置２００に指示を発行し、光ディスク装置２００を操作する機能を有している。
【００５６】
図２１は、ツインフォーマットディスク（またはマルチフォーマットディスク）を扱う光ディスク装置（ディスクドライブ装置）で用いられる、ディスク管理情報の問合せに対する返答フォーマットの一例を説明する図である。また、図２２は、ツインフォーマットディスク（またはマルチフォーマットディスク）を扱う光ディスク装置（ディスクドライブ装置）で用いられる、ディスク管理情報の送信フォーマットの一例を説明する図である。図２１および図２２は、“ディスク管理情報の問い合わせ（図２０参照）”の一種である“マルチフィジカルボリュームディスク情報問い合わせ”の返答フォーマットと“ディスク管理情報の送信（図２０参照）”の一種である“マルチフィジカルボリュームディスク情報送信”のフォーマットを例示している。“マルチフィジカルボリュームディスク情報送信”の指示があった場合、光ディスク装置２００は“ 光ディスク装置に装填させるフィジカルボリューム番号”の装填を実施する。ただし、光ディスク装置２００がその番号に対応していないか、光ディスク１０が対応していない場合、光ディスク装置２００はホスト３００に対してエラーを返答する。
【００５７】
図２３は、ツインフォーマットディスク（またはマルチフォーマットディスク）を扱う光ディスク装置（ディスクドライブ装置）が持つ機能の一例（対応可能な機能のリスト）を説明する図である。光ディスク装置２００が持っているこれらの機能（マルチフィジカルボリュームディスクに対する処理機能、ＤＶＤフォーマットの再生機能、ＨＤ＿ＤＶＤフォーマットの再生機能、ＢＦフォーマットの再生機能、ランダム機能可能ディスク（DVD-RAM、書き換え型HD_DVD等）への記録機能、シーケンシャル記録ディスク（DVD-R/-RW・HD_DVD-R/-RW等）への記録機能、パワーマネジメント機能等）には、あらかじめ番号が定められている。光ディスク装置２００は、ホスト３００からの問い合わせに対して、同光ディスク装置２００が対応可能な機能の一覧を返答する機能を有している。この機能は主に光ディスク装置２００のファームウエアとして実装されている。
【００５８】
＜構成状態問い合わせの返答＞
図２４は、ホストから構成状態の問合せが発行された場合における、ツインフォーマットディスク（またはマルチフォーマットディスク）を扱う光ディスク装置（ディスクドライブ装置）の返答の例を説明する図である。ホスト３００から構成状態取得指示があった場合、光ディスク装置２００は、装置自身が対応している機能のリスト（図２３参照）をホスト３００に返答する（図２４（ａ）参照）。さらに、光ディスク装置２００は図２４（ｂ）に示すように、そのとき装填されているメディアの状況に応じて、カレントの状態を示すフラグを立てる。たとえば、光ディスク装置２００がMultiple PV機能（マルチフィジカルボリュームディスクに対する処理機能）を有しており、光ディスク１０としてツインフォーマットディスク（ＴＦディスク）が装填されている場合、Multiple PVフラグに１を立てる。加えて、その時点で装填されているフィジカルボリュームＰＶに関する機能、たとえばHD_DVD-ROMが装填されていればHD_DVD-ROM readフラグに、１を立てる。このとき、装填されていないＰＶに関する機能に関しては、フラグを０にしておく。
【００５９】
光ディスク装置２００がこのような返答を行う機能を有することで、ホスト３００は、この返答から、光ディスク装置２００に挿入されたディスク１０がマルチフォーマット光ディスクであることと、現在装填されているフォーマットが何であるかを瞬時に判断することが可能となる。そして、ホスト３００がマルチフォーマット光ディスクの再生に対応していれば、フィジカルボリュームＰＶの切り替え指示をすることで、好きなフィジカルボリュームを装填することが可能となる。また、一旦所望のフィジカルボリュームを装填した後は、それぞれのフォーマットにあった指示のみを出すことで、光ディスク１０に対する情報の記録再生がスムーズに行えるようになる。
【００６０】
図２５は、ＤＶＤ再生のみに対応したホストから構成状態の問合せが発行された場合における、ツインフォーマットディスク（またはマルチフォーマットディスク）を扱う光ディスク装置（ディスクドライブ装置）の返答の例を説明する図である。図２５（ｂ）において、斜線部分はＤＶＤの再生のみに対応したホスト３００が認識しない部分である。同ホスト３００は、ＨＤ＿ＤＶＤの認識は行わないので、ＨＤ＿ＤＶＤに関する機能やディスクに関連したコマンドはすべて無視される。しかしながら、光ディスク装置２００の返答によれば、ホスト３００はDVD-ROMディスクが挿入された場合には、DVD-ROMが装填されたと判断することが可能である。また、ＴＦディスクが挿入された場合、光ディスク装置２００は、まずフィジカルボリューム０のDVD-ROMを装填するため、ホスト３００はDVD-ROMが装填されたと認識し、DVD-ROMを問題なく再生することが可能となる。一方、HD_DVD-ROMが挿入された場合には、ドライブ内にディスク１０が無いか、DVD-ROMでないディスク１０がドライブに挿入されたと判断される。このように、この発明の一実施の形態に係る光ディスク装置２００は、すでに市場に出回っているホスト３００に対しても問題なく動作するという特徴を有している。
【００６１】
図２６は、ホストから構成状態の問合せが発行された場合において、ツインフォーマットディスク（またはマルチフォーマットディスク）を扱えない“通常ＤＶＤのみに対応した”光ディスク装置（ディスクドライブ装置）の返答の例を説明する図である。図２６（ｂ）において、Multiple PVフラグ及びHD_DVD readフラグは、ＤＶＤのみに対応した装置では、予備ビットに割り当てられたものであり、さらにHD_DVD-ROMの再生機能を持たないので、光ディスク装置２００はこのフラグを返答しない。この返答を元に、ホスト３００は交信中の光ディスク装置２００がＴＦディスクを再生する機能を持たないことを確認することが可能となる。
【００６２】
＜デフォルトPVの切り替え機能＞
図２７は、デフォルトのフィジカルボリュームを切り替える機能を有する光ディスク装置（ディスクドライブ装置）を説明する図である。これまで、光ディスク装置２００において、フィジカルボリューム０がデフォルトフィジカルボリュームとして優先的に装填されることを説明したが、ホスト３００の種類によっては、デフォルトフィジカルボリュームを切り替える必要や、フィジカルボリューム０に設定されたフォーマットを切り替えた方が良い場合がある。たとえば、ＨＤ＿ＤＶＤのみに対応したホスト３００の場合、始めにＤＶＤディスク１０が装填されると、毎回記録再生の前にフィジカルボリュームをＤＶＤのものからＨＤ＿ＤＶＤのものへ切り替える必要が生じる。そこで、図２７の光ディスク装置２００では、ホスト３００ＰＣ（あるいは３００）とは別に、ハードスイッチ２７０（ユーザからのリモートコントローラ操作による切り替え指示も含む）やデバイスドライバソフト２６０からの指示を受け付けてデフォルトフィジカルボリュームを切り替える機能や、各フィジカルボリュームに装填されたフォーマットを切り替える機能を有している。これによって、図２７の光ディスク装置２００はさまざまな種類のホスト３００ＰＣ（あるいは３００）に対応することが可能となっている。
【００６３】
＜ディスク認識のフローチャート＞
図２８は、マルチフォーマットディスク（ツインフォーマットディスク）の再生方法の一例を説明するフローチャート図である。この例は、ホスト３００部からみたマルチフォーマット光ディスク１０を再生する場合の処理を示す。ここでは、マルチフォーマット光ディスク１０として、DVD-ROMとHD_DVD-ROMで構成されたＴＦディスク、またはDVD-ROM、HD_DVD-ROMかそれ以外のディスクが挿入された場合について説明を行う。
【００６４】
ホスト３００は、対応する光ディスク装置２００の電源が投入されたら、ディスク１０の挿入の有無の確認を定期的に実行している。ここで、光ディスク装置２００にディスク１０が挿入されたことを確認したら、ホスト３００は“構成状態問い合わせ（図２０参照）”を発行し（ステップＳＴ１００）、光ディスク１０及び光ディスク装置２００が現時点で対応可能になっている機能のリスト名（プロフィール：図２３参照）を確認する。
【００６５】
ここで、DVD-ROMおよび／またはHD_DVD-ROMを取り扱うプロフィールの返答がない場合（ステップＳＴ１０２ノー）、光ディスク装置２００には現在ＴＦディスク、DVD-ROMまたはHD_DVD-ROMではないディスク１０が挿入されたと判断され、別の処理に移る。返答がDVD-ROMおよび／またはHD_DVD-ROMを取り扱うプロフィールであった場合には（ステップＳＴ１０２イエス）、再び“構成状態問い合わせ”を発行し（ステップＳＴ１０４）、詳細な機能情報を取得する。ここで、Multiple PVフラグが返答されなかった場合（ステップＳＴ１０６ノー）、交信中の光ディスク装置２００はマルチフォーマット光ディスクの再生機能がないと判断され、現在装填された1つのフォーマット（たとえばDVD-ROMとする）を再生する処理に移行する。この場合、その後はDVD-ROMに対して有効な指示のみをホスト３００は発行する。
【００６６】
一方、Multiple PVフラグが返答された場合（ステップＳＴ１０６イエス）は、ホスト３００はそのフラグビットの内容を確認する。フラグビットが0bであった場合には（ステップＳＴ１０８ノー）、挿入されたディスク１０がマルチフォーマット光ディスクではないと判断し、現在装填されている一つのフォーマットを再生する処理に移行する。フラグビットが1bであった場合には（ステップＳＴ１０８イエス）、ホストは挿入されたディスクがマルチフォーマット光ディスクであると判断する。
【００６７】
続いて、ホスト３００はディスク管理情報の問い合わせ指示を出す（ステップＳＴ１１０）。すると、光ディスク装置２００のドライブからは、挿入された光ディスク１０のフィジカルボリュームの数とそれぞれのフィジカルボリュームのフォーマットの種類、現在装填されているフィジカルボリュームの番号が報告される（ステップＳＴ１１２）。ここで、ディスク１０が挿入された直後であれば、フィジカルボリューム０のフォーマットが装填されている。ホスト３００は、ユーザの再生要求がある、もしくはホスト３００があらかじめ記録再生を行うように定められていたフォーマットが装填されていれば（ステップＳＴ１１４ノー）、そのフォーマットに対応した指示を出し、光ディスクの記録再生を開始する。一方、ユーザの要求と異なるフォーマットであった場合には（ステップＳＴ１１４イエス）、ホスト３００はフィジカルボリュームの切り替えを開始する。
【００６８】
ここで、たとえばホスト３００（または３００ＰＣ）がHD_DVD-ROM対応ソフトプレーヤもしくはハードプレーヤである場合を考えてみると、通常、ユーザがHD_DVD-ROM／DVD-ROMのＴＦディスクを挿入した場合には、より情報量の多いHD_DVD-ROMを優先的に再生したいと考えることが多い。そこで、光ディスク装置２００のドライブはデフォルトフィジカルボリュームであるDVD-ROMを始めに装填するが、ホスト３００は、マルチフィジカルボリュームディスク情報の獲得のあとすぐに装填されているフィジカルボリュームをHD_DVD-ROMに切り替えて、その後HD_DVD-ROMの再生結果をユーザに報告する機能を有するように構成できる。こうすることで、ユーザにはHD_DVD-ROMが優先的に再生されているように見せることが可能となる。
【００６９】
このように、この発明の一実施の形態に係るホスト３００では光ディスク装置２００とは別にデフォルトのフィジカルボリュームを設定することが可能である。また、ユーザの要求に応じてこのデフォルトのフィジカルボリュームの切り替えをする機能を有する。このボリューム切り替え機能は、ホスト３００がＰＣである場合、アプリケーションソフトとして実装され、ソフトウエアボタンとしてユーザに提示される。また、ホスト３００がレコーダーまたはプレーヤーである場合には、このボリューム切り替え機能は光ディスク装置２００のファームウエアとして実装され、オンスクリーン表示によるスイッチ表示等でユーザに提示される場合などがある。
【００７０】
＜フィジカルボリュームの切り替えフローチャート＞
図２９は、マルチフォーマットディスク（ツインフォーマットディスク）におけるフィジカルボリュームの切替方法の一例を説明するフローチャート図である。この例は、ホスト部３００から見たマルチフォーマット光ディスクのフィジカルボリュームを切り替える動作のフローチャートを示す。ホスト３００は、切り替えの前に、マルチフィジカルボリュームディスク情報の問い合わせを光ディスク装置に対して行う（ステップＳＴ２００）。そして、フィジカルボリュームの数と種類、現在装填されているフィジカルボリュームの番号を調査する。次に、光ディスク装置２００の状態がフィジカルボリュームの切り替え禁止状態でない場合には（ステップＳＴ２０２ノー）、切り替え取り出し許可指示を使用して、光ディスク装置２００の状態を切り替え可能状態に切り替える（ステップＳＴ２０４）。その後、あるいは光ディスク装置２００の状態がフィジカルボリュームの切り替え禁止状態であった場合には（ステップＳＴ２０２イエス）、マルチフィジカルボリュームディスク情報送信を使用して、所望のフィジカルボリュームに装填を切り替える指示を出す（ステップＳＴ２０６）。
【００７１】
次に、ホスト３００は定期的に動作状態問い合わせを行う（ステップＳＴ２０８）。このとき、光ディスク装置２００は、ホスト３００の指示に従って装填するフィジカルボリュームを切り替えるが、この切り替え動作には、レーザダイオード（ＬＤ）の切り替えやフォーカスサーボ、トラッキングサーボの再引き込み等、ある程度の時間を必要とする。この間、光ディスク装置２００は、ホスト３００の問い合わせに対して、動作中であることを報告する。ホスト３００は、定期的な問い合わせをしながら、光ディスク装置２００の返答が「指示受け入れ可能状態」になるのを待つ（ステップＳＴ２１０ノーのループ）。可能になったら（ステップＳＴ２１０イエス）、マルチフィジカルボリュームディスク情報の問い合わせを行い（ステップＳＴ２１２）、現在装填されているマルチフィジカルボリュームを確認する（ステップＳＴ２１４）。現在装填されているマルチフィジカルボリュームの番号、種類が目的のものと一致したら（ステップＳＴ２１６イエス）、フィジカルボリュームの切り替えが完了となる。目的のものと一致しなかった場合は（ステップＳＴ２１６ノー）、再び、マルチフィジカルボリュームの情報獲得（ステップＳＴ２００）、もしくは切り替え指示（ステップＳＴ２０６）の処理から再施行する。
【００７２】
＜ドライブ動作のフローチャート＞
図３０は、光ディスク装置（ディスクドライブ装置）が、マルチフォーマットディスク（ツインフォーマットディスク）のフィジカルボリュームの装填を行なう場合の一例を説明するフローチャート図である。この例では、光ディスク装置２００は、光ディスク１０が挿入された場合、スピンドルモータ２２０の回転を開始し（ステップＳＴ３００）、レーザダイオード（ＬＤ）の点灯を行う（ステップＳＴ３０２）。ここで、たとえば405、650、780nmの各波長をもつＬＤを用いる光ディスク装置２００の場合、650nmの波長を選択する。これは、405nmの波長のでDVD-Rディスクを再生した場合、650nmの波長よりも集光スポットが小さくなり、エネルギー密度が増加するため、すでに記録されているデータを破壊する恐れがあるからである。
【００７３】
光ディスク装置２００は、次に、光学ヘッド（ＰＵＨ）のフィードを行い、ＰＵＨをディスク１０の内周側に移動させる（ステップＳＴ３０４）。次に、ＰＵＨアクチュエータ２０８をフォーカス方向に上下させて、レイヤーの判定を実施する（ステップＳＴ３１０）。レイヤーの判定が終了したら、フォーカスをオンする。その後、トラッキング信号、ＢＣＡ信号、ＲＦ信号の周波数特性やこれらの信号の有無によって、ディスク１０の種別を判定する（ステップＳＴ３２０）。その判定の結果に基づいて、レイヤー０にフォーカスを引き込む。
【００７４】
次に、判定されたディスクの種類によって、トラッキング方式やサーボのゲインを最適化し、Lead-in部にトラッキングを行い（ステップＳＴ３３０）、記録された情報を入手する（ステップＳＴ３３２）。ここで、光ディスク装置２００は光ディスク１０のＩＤ情報や物理アドレス情報等によって、レイヤー０を再生していることを確認したら（ステップＳＴ３３６イエス）、さらに詳細な管理情報の取得を行い（ステップＳＴ３４０）、光ディスクの装填が完了する。
【００７５】
このとき再生しているディスク１０が、図５に示すようなＴＦディスクである場合、ツインフォーマットディスク識別子及びブックタイプ、パートバージョン情報から、再生するディスクのレイヤー０のフォーマット、レイヤー１のフォーマットを確認することができる。この時点で、光ディスク装置２００は、ホスト３００からの構成状態問い合わせ等に対して、Multiple PVフラグ、HD_DVD readフラグ、ＤＶＤ readフラグを返答することが可能な状態になる。なお、フォーカスを引き込んだレイヤーがレイヤー０でない場合には（ステップＳＴ３３６ノー）、フォーカスジャンプを実施して（ステップＳＴ３３４）、レイヤー０にフォーカスの引き込みを行う。
【００７６】
図３１は、マルチフォーマットディスク（ツインフォーマットディスク）におけるレイヤー判定方法の一例を説明するフローチャート図である。ここで、フォーカスサーチによるレイヤー判定に関して詳細を説明する。光ディスク１０に対し、ＰＵＨ２０８の対物レンズＯＬを近づけた場合に、再生信号を観測すると、図３１（ａ）〜（ｄ）に示すような信号を得ることができる。再生信号は光ディスク１０の情報記録層にフォーカスが合うと大きくなるので、この信号ピークの位置（Ｐ１ａ〜Ｐ１ｄ、Ｐ２ａ〜Ｐ２ｄ）と強度（信号レベルの相対的な大小）からディスクの種類を判別することができる。
【００７７】
すなわち、光ディスク１０のレーザ受光面位置（ディスクの基板表面）からディスクの内部に向かってフォーカスサーチを進めると、光入射側の基板厚さがもっとも薄い（0.1mm）Ｂフォーマット（図６参照）の情報記録層がもっとも手前（光ディスクの受光面側）にあるため、初めにピークをもつ（図３１（ｂ）の領域１のＰ１ｂ参照）。次にHD_DVDフォーマットとＤＶＤフォーマットは同じような位置（基板表面から0.6mm前後の位置）にピークをもつ（図３１（ｃ）〜（ｄ）の領域２参照）。ＣＤフォーマットは光入射側の基板からもっとも遠い（1.0〜1.2mm）ところにピークをもつ（図３１（ａ）の領域３のＰ１ａ参照）。従って、ＣＤフォーマットのピークをもつ位置では対物レンズはディスクの基板表面にもっとも近づくことになる。
【００７８】
さらに、650nmの波長のＬＤでＤＶＤフォーマットの２層ディスクを再生した場合には、各レイヤーのピークがほぼ等しくなるが（図３１（ｃ）の領域２のＰ１ｃ、Ｐ２ｃ参照）、650nmの波長のＬＤで図５あるいは図１７のＴＦディスクを再生した場合や、HD_DVD-ROMの２層を再生した場合には、各レイヤーの媒体材質の影響から、各レイヤーのピークレベルがアンバランスになる（図３１（ｄ）の領域２のＰ１ｄ、Ｐ２ｄ参照）。（なお、405nmレーザ用に設計された２層／ツインディスクを650nmのレーザでフォーカスサーチするから再生レベルのピークにアンバランスが生じるので、ここに405nmのレーザを用いた場合はピークのアンバランスは実質上生じないようにできる。ここでは650nmレーザを用いる例を示したが、405nmレーザの使用ができないということではない。）
図３１の例では、このような結果から、再生信号レベルの２つのピークが図３１の領域２（ディスク１０の受光面からの距離がｘ１〜ｘ２の間：例えばディスクの基板表面からの距離で600±50μｍをｘ１〜ｘ２とするなど）に入っていた場合には、そのディスクがＴＦディスク、ＨＤ＿ＤＶＤ、ＤＶＤのいずれかのディスクであると判断する。ここで、２つのピークが領域２にある場合において、ＴＦディスクであるか否かは、２つのピークレベルがほぼ同じであるかある程度以上異なっているかにより、判定できる。また、再生信号レベルの２つのピークが異なる領域にあった場合（図３１（ａ）あるいは（ｂ））には、ＬＤ（別波長レーザへの切り替え）や対物レンズ（別開口数への切り替え）等の切り替えを行うステップへ移行する。
【００７９】
次に、ディスクの種別の判定ステップに関して説明を行う。このステップでは、光ディスク１０にフォーカスを引き込み、その再生信号から光ディスク１０の種類を判定する。ここで、650nmのＬＤを点灯させている場合、レイヤー０にフォーカスを行い、トラッキング信号の有無やＢＣＡ情報の有無、ＲＦ信号の有無によってレイヤー０がＤＶＤであるかＨＤ＿ＤＶＤであるかを判定する。ＤＶＤである場合には次のLea-inのエンボス情報にトラッキングオンのステップに進む。また、ＤＶＤでないと判定された場合には、ＬＤや対物レンズの切り替えを行うステップに移行する。
【００８０】
＜まとめ＞
この発明の一実施の形態に係るマルチフォーマットディスク１０は、ツインフォーマットディスク（ＴＦディスク）を例にとれば、光ディスク１０の受光面に近い側から順に第１データ（Data0）を記録する第１レイヤー（L0）および第２データ（Data1）を記録する第２レイヤー（L1）を含む。ここで用いられるフォーマットの種類としては第１のフォーマット（例えばHD_DVD-ROMフォーマット）および第２のフォーマット（例えばDVD-ROMフォーマット）がある。各々のフォーマットを示す情報（レイヤー１のフォーマット情報、レイヤー０のフォーマット情報）は第１のフォーマット（HD_DVD-ROMフォーマット）を示す第１情報ビット（図１１の000b）と第２のフォーマット（DVD-ROMフォーマット）を示す第２情報ビット（図１１の100b）を含む。第１レイヤー（L0）の第１データ（Data0）が第１のフォーマット（HD_DVD-ROMフォーマット）および第２のフォーマット（DVD-ROMフォーマット）のいずれであるのかを第１情報ビット（図１１の000b）により示し、第２レイヤー（L1）の第２データ（Data1）が第１のフォーマット（HD_DVD-ROMフォーマット）および第２のフォーマット（DVD-ROMフォーマット）のいずれであるのかを第２情報ビット（図１１の100b）により示すことができる。
【００８１】
ここで、第１レイヤー（L0）におけるリードイン領域（図５のリードインエリアＤ）は複数の情報記録層（レイヤー１、レイヤー０）各々のフォーマットが異なる場合を示す情報（図１２のツインフォーマットディスク識別子）を含み、第２レイヤー（L1）におけるリードイン領域（図５のリードインエリアＨ）は複数の情報記録層（レイヤー１、レイヤー０）各々のフォーマットを示す情報（図１１のレイヤーフォーマットテーブル）を含むことができる。
【００８２】
さらに、光学ヘッド（ＰＵＨ）を介して得られる再生信号レベルを変数Ｐで表すときに、第１レイヤー（L0）からの再生信号レベルをＰ１とし、第２レイヤー（L1）からの再生信号レベルをＰ２とする。また、光ディスクの受光面位置を基準にして、光ディスクの受光面から光学ヘッドの焦点位置までの相対距離を変数ｘで表し、２つの異なる所定変数ｘ１およびｘ２を定めたときに、再生信号レベルＰ１および／またはＰ２が、ｘ１からｘ２の間にあるか否かにより、光ディスクにおける第１のフォーマット（例えばHD_DVD-ROMフォーマット）および第２のフォーマット（例えばDVD-ROMフォーマット）の組み合わせ状態を判別することができる（図３１（ａ）〜（ｄ）参照）。
【００８３】
さらに、再生信号レベルＰ１およびＰ２がｘ１からｘ２の間にある場合に、再生信号レベルＰ１が再生信号レベルＰ２と異なる信号レベルであるか否かにより、第１レイヤー（L0）および第２レイヤー（L1）のフォーマットの種別を区別することができる（図３１（ｃ）〜（ｄ）参照：例えばＤＶＤ２層フォーマットならＰ１ｃ≒Ｐ２ｃ； ＨＤ＿ＤＶＤ２層フォーマットならＰ１ｄ＞Ｐ２ｄ）。
【００８４】
複数の情報記録層（Ｌ０，Ｌ１）を有する多層情報記憶媒体（例えば図１７の１０）に対して情報の記録再生を行い、上位の情報管理装置（３００）と情報記憶媒体の情報を送受信をする情報記憶媒体記録再生方法では、前記多層情報記憶媒体の情報を複数の情報（データ０，１）に分割し、前記複数の情報を仮想的な複数の媒体（１ａ，１ｂ）の情報として前記上位の情報管理装置（３００）と前記情報記憶媒体の情報（データ０，１）の送受信を行うことができる。
【００８５】
また、複数の情報記録層（Ｌ０，Ｌ１）を有する多層情報記憶媒体（例えば図４の１０）に対して情報の記録再生を行い、上位の情報管理装置（３００）と情報記憶媒体の情報を送受信をする情報記憶媒体記録再生方法では、一部の情報記録層（例えば図５のＬ１のBCA-H, System Lead-in area-H, Data Lead-in area-H）から前記情報記憶媒体が有するすべての情報記録層のフォーマット情報（図６参照）を獲得する第１のステップと、獲得した該フォーマット情報を仮想的な複数の媒体の情報（ＰＶ０，ＰＶ１の情報）として前記上位の情報管理装置（３００）に報告する第２のステップと、該第１および第２のステップが終了した後、前記上位の情報管理装置（３００）から現在読み出しを行っている前記一部の情報記録層（Ｌ１）以外の情報記録層（Ｌ０）に対する情報記録再生の指示が来た後で、初めて、前記一部の情報記録層（Ｌ１）の記録再生を開始するステップを実行することができる。
【００８６】
また、複数の情報記録層（Ｌ０，Ｌ１）を有する多層情報記憶媒体（１０）に対して情報の記録再生を行い、上位の情報管理装置（３００）と情報記憶媒体の情報を送受信をする情報記憶媒体記録再生方法では、複数の情報記録層の一方がすでに市場に流通しているフォーマット（例えばＤＶＤビデオ）であり、他方はそれより遅れて流通するフォーマット（例えばＨＤ＿ＤＶＤ）である場合、前記情報記憶媒体が有するすべての情報記録層のフォーマット情報（図６）を獲得するステップで情報を読み出す層は、すでに流通しているフォーマットフォーマット（ＤＶＤビデオ）のものとすることができる。
【００８７】
さらに、複数の情報記録層（Ｌ０，Ｌ１）を有する多層情報記憶媒体（１０）に対して情報の記録再生を行う情報記憶媒体記録再生装置（２００）と情報記憶媒体の情報を（ホストが）送受信することで情報を管理する情報管理方法では、前記情報記憶媒体記録再生装置（２００）が仮想的な複数の媒体の情報（例えば図１７のデータ０、１）を返答する手段（ファームウエア）を有するか否かを確認し、前記情報記憶媒体記録再生装置が仮想的な複数の媒体の情報を返答する手段を有することが確認できた場合に、それぞれの仮想的な複数の媒体に対して情報の記録再生を行う場合には、記録再生を行う前に、前記情報記憶媒体記録再生装置（２００）に対して、媒体の切り替えを実行するよう指示を出す（例えば図２９のステップＳＴ２０６）ことができる。
【００８８】
なお、この発明は前述した実施の形態に限定されるものではなく、現在または将来の実施段階では、その時点で利用可能な技術に基づき、その要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００８９】
【図１】この発明の一実施の形態に係るディスク状の多層情報記憶媒体（マルチフォーマットディスクまたはツインフォーマットディスク）に対して情報の記録および／または再生を行なうプレーヤ／レコーダ１００の概略構成を説明する図。
【図２】この発明の一実施の形態に係るディスク状の多層情報記憶媒体（マルチフォーマットディスクまたはツインフォーマットディスク）に対して情報の記録および／または再生を行なうパーソナルコンピュータの概略構成を説明する図。
【図３】図１または図２の光ディスク装置（ドライブ装置）の概略構成を説明する図。
【図４】この発明の一実施の形態に係るディスク状の多層情報記憶媒体（この例ではツインフォーマットディスク）の概略構成を説明する図。
【図５】ツインフォーマットディスク（ＴＦディスク）の各レイヤーのレイアウト例を説明する図。
【図６】ツインフォーマットディスク（またはマルチフォーマットディスク）の各レイヤーに配置されるフォーマット例を説明する図。
【図７】ツインフォーマットディスク（またはマルチフォーマットディスク）のレイヤー１に設けられたバーストカッティングエリア（ＢＣＡ）に記録される情報の構成を例示する図。
【図８】バーストカッティングエリア（ＢＣＡ）に記録される情報内容の一例を説明する図。
【図９】バーストカッティングエリア（ＢＣＡ）に記録される情報の一部（ブックタイプ・ディスクタイプ）の具体例を説明する図。
【図１０】ツインフォーマットディスク（またはマルチフォーマットディスク）のレイヤー１のシステムリードインエリアＨに設けられたエンボスピット情報の具体例を説明する図。
【図１１】図１０のエンボスピット情報の一部（レイヤーフォーマットテーブル）の具体例を説明する図。
【図１２】ツインフォーマットディスク（またはマルチフォーマットディスク）のレイヤー０のリードインエリアＤに設けられたエンボスピット情報の具体例を説明する図。
【図１３】ツインフォーマットディスク（またはマルチフォーマットディスク）の各レイヤーの情報を、レーザ光を用いて記録または再生する光学系の概略構成（シングル対物レンズ・マルチビームのシングル光ヘッド）を説明する図。
【図１４】ツインフォーマットディスク（またはマルチフォーマットディスク）の各レイヤーの情報を、レーザ光を用いて記録または再生する光学系の概略構成（シングルビームのマルチ光ヘッドまたはマルチレンズ・マルチビームのシングル光ヘッド）を説明する図。
【図１５】ツインフォーマットディスク（またはマルチフォーマットディスク）の各フォーマットに対応したディスク装置の仕様（レーザ波長、対物レンズ開口数、復調方式等の組み合わせ）の具体例を説明する図。
【図１６】各レイヤー（L0*、L1*）が同じフォーマットで記録され、物理的には記録情報（Data0*、Data1*）が複数レイヤーに分かれていても論理的には記録情報（Data0*+Data1*）が１つとして扱われる例（ツインフォーマットでない２層ディスク）を説明する図。
【図１７】各レイヤー（L0、L1）の記録情報（Data0、Data1）が個別のフォーマット（同じフォーマットでも異なるフォーマットでもよい）で記録され、物理的にも論理的にも記録情報（Data0、Data1）が複数レイヤーに分かれて扱われる例、すなわち物理的には２層ディスク１枚でも論理的には個別の単層ディスク２枚に相当する例（ツインフォーマット２層ディスク）を説明する図。
【図１８】光ディスク装置（ディスクドライブ装置）における再生状態の移り変わり（例１）を説明する状態遷移図。
【図１９】ツインフォーマットディスク（ＴＦディスク）が装填された光ディスク装置（ディスクドライブ装置）における再生状態の移り変わり（例２）を説明する状態遷移図。
【図２０】ツインフォーマットディスク（またはマルチフォーマットディスク）を扱う光ディスク装置（ディスクドライブ装置）が持つコマンドの一例（対応可能な指示のリスト）を説明する図。
【図２１】ツインフォーマットディスク（またはマルチフォーマットディスク）を扱う光ディスク装置（ディスクドライブ装置）で用いられる、ディスク管理情報の問合せに対する返答フォーマットの一例を説明する図。
【図２２】ツインフォーマットディスク（またはマルチフォーマットディスク）を扱う光ディスク装置（ディスクドライブ装置）で用いられる、ディスク管理情報の送信フォーマットの一例を説明する図。
【図２３】ツインフォーマットディスク（またはマルチフォーマットディスク）を扱う光ディスク装置（ディスクドライブ装置）が持つ機能の一例（対応可能な機能のリスト）を説明する図。
【図２４】ホストから構成状態の問合せが発行された場合における、ツインフォーマットディスク（またはマルチフォーマットディスク）を扱う光ディスク装置（ディスクドライブ装置）の返答の例を説明する図。
【図２５】ＤＶＤ再生のみに対応したホストから構成状態の問合せが発行された場合における、ツインフォーマットディスク（またはマルチフォーマットディスク）を扱う光ディスク装置（ディスクドライブ装置）の返答の例を説明する図。
【図２６】ホストから構成状態の問合せが発行された場合において、ツインフォーマットディスク（またはマルチフォーマットディスク）を扱えない“通常ＤＶＤのみに対応した”光ディスク装置（ディスクドライブ装置）の返答の例を説明する図。
【図２７】デフォルトのフィジカルボリュームを切り替える機能を有する光ディスク装置（ディスクドライブ装置）を説明する図。
【図２８】マルチフォーマットディスク（ツインフォーマットディスク）の再生方法の一例を説明するフローチャート図。
【図２９】マルチフォーマットディスク（ツインフォーマットディスク）におけるフィジカルボリュームの切替方法の一例を説明するフローチャート図。
【図３０】光ディスク装置（ディスクドライブ装置）が、マルチフォーマットディスク（ツインフォーマットディスク）のフィジカルボリュームの装填を行なう場合の一例を説明するフローチャート図。
【図３１】マルチフォーマットディスク（ツインフォーマットディスク）におけるレイヤー判定方法の一例を説明するフローチャート図。
【符号の説明】
【００９０】
１０…ディスク状の多層情報記憶媒体（マルチフォーマットディスクまたはツインフォーマットディスク）；１００…マルチフォーマットディスク（ツインフォーマットディスク）を用いて記録および／または再生を行なうレコーダまたはプレーヤ；２００…マルチフォーマットディスク（ツインフォーマットディスク）が装填される光ディスク装置（ディスクドライブ装置）；３００…レコーダまたはプレーヤの動作制御をファームウエア等により行なうホストコンピュータ；３００ＰＣ…レコーダまたはプレーヤの動作制御をオペレーティングシステムに装備されたソフトウエア等により行なうパーソナルコンピュータ。
【図１】
2007026617.tif 000003
【図２】
2007026617.tif 000004
【図３】
2007026617.tif 000005
【図４】
2007026617.tif 000006
【図５】
2007026617.tif 000007
【図６】
2007026617.tif 000008
【図７】
2007026617.tif 000009
【図８】
2007026617.tif 000010
【図９】
2007026617.tif 000011
【図１０】
2007026617.tif 000012
【図１１】
2007026617.tif 000013
【図１２】
2007026617.tif 000014
【図１３】
2007026617.tif 000015
【図１４】
2007026617.tif 000016
【図１５】
2007026617.tif 000017
【図１６】
2007026617.tif 000018
【図１７】
2007026617.tif 000019
【図１８】
2007026617.tif 000020
【図１９】
2007026617.tif 000021
【図２０】
2007026617.tif 000022
【図２１】
2007026617.tif 000023
【図２２】
2007026617.tif 000024
【図２３】
2007026617.tif 000025
【図２４】
2007026617.tif 000026
【図２５】
2007026617.tif 000027
【図２６】
2007026617.tif 000028
【図２７】
2007026617.tif 000029
【図２８】
2007026617.tif 000030
【図２９】
2007026617.tif 000031
【図３０】
2007026617.tif 000032
【図３１】
2007026617.tif 000033